(57)【特許請求の範囲】
【請求項１】
庫内に据え付けられた冷却装置によって冷却された冷気を前面開口の内側上縁から下方に向けて吐出させるとともに、吐出された冷気を前面開口の内側下縁から回収するピッキング用冷凍冷蔵倉庫において、
前面開口の外側に前面開口に沿って設けられ、前面開口から漏れた冷気を回収する上面が開口した冷気回収ダクトと、
該冷気回収ダクトに沿って配設され、作業スペースの床を温める床暖房装置と、
を備え、
冷気回収ダクトの上面開口を、格子状に形成され、冷気が通過する蓋で覆い、
前記前面開口から前方側に向かって順に、前記冷気回収ダクトの蓋の上面と、前記床暖房で温められる床面とが配置されるとともに、これら蓋の上面と床面とを同一高さに配置したことを特徴とするピッキング用冷凍冷蔵倉庫。
【請求項２】
前記床暖房装置の熱源は、前記冷却装置の廃熱であることを特徴とする請求項１に記載のピッキング用冷凍冷蔵倉庫。
【請求項３】
前記床暖房装置は、前記冷却装置から吐出された冷媒が流れる吐出管を浸漬させる温水タンクと、温水タンクから温水を汲み上げる循環ポンプと、作業スペースの床に埋設され、循環ポンプから供給された温水を循環させる温水管とを備えたことを特徴とする請求項１または２に記載のピッキング用冷凍冷蔵倉庫。
【発明の詳細な説明】
【技術分野】
【０００１】
本発明は、ピッキング用冷凍冷蔵倉庫に関するものであって、たとえば、物流センタや配送センタに設置されるピッキング用冷凍冷蔵倉庫に関するものである。
【背景技術】
【０００２】
物流センタや配送センタに構築されるピッキングシステムは、冷凍冷蔵倉庫と、冷凍冷蔵倉庫から取り出された商品を搬送する搬送装置とを備えている。冷凍冷蔵倉庫の庫内には、冷凍冷蔵倉庫の前面開口に臨むように複数の棚装置が配置されるとともに、庫内を保冷するための冷却装置が備えられている。棚装置は、複数段の傾斜棚で構成され、棚装置の作業スペース側先端部には、配送対象となる商品の保管位置をランプ等により示すとともにピッキング数を示す表示器が備えられている。
【０００３】
そして、冷凍冷蔵倉庫の前面開口を構成する側壁の内側に冷気エアカーテンを生成する第一送風装置を備えるとともに、側壁の外側に外気エアカーテンを生成する第二送風装置を備えている。第一送風装置及び第二送風装置は、床面に向けて略垂直方向に冷気又は外気を吹き出すものであり、冷凍冷蔵倉庫の床面には、第一送風装置に対応する吸気装置が設置されている。また、前面下側開口には、吸気装置の高さよりも高い位置まで下部断熱壁が立ち上げられている。
【０００４】
吸気装置は、棚装置の脚部間に配置されており、第一送風装置の吹出口に対向する位置に設けられた吸込口と、吸込口から庫内方向に延長するダクトと、ダクトの後端部に連設し、冷凍冷蔵倉庫の略中央付近に配置された吸込ファンとを有する。
【０００５】
このように構成された冷凍冷蔵倉庫の外側上部には、作業フロアと天井との間の空間に冷却装置の廃熱を利用する熱交換器としてヒートリクレイム熱交換器が設置され、作業フロアは所定温度（摂氏５度程度）に保たれている。さらに、作業スペースとなる床には、床暖房装置が配設されており、オペレータの足元を直接暖めることができるようになっている（例えば、特許文献１参照）。
【０００６】
【特許文献１】特開２００６−９０６１９号公報
【発明の開示】
【発明が解決しようとする課題】
【０００７】
しかしながら、前面開口内側に冷気エアカーテンを生成するために、第一送風装置から吹き出した冷気は吸気装置にすべて吸い込まれるわけではなく、どうしても冷凍冷蔵倉庫の外に漏れてしまう。この漏れた冷気は、作業フロアに吹き溜まり、作業環境を悪化させる。
【０００８】
本発明は、上記実情に鑑みて、漏れた冷気を回収し、作業環境を向上することができるピッキング用冷凍冷蔵倉庫を提供することを目的とする。
【課題を解決するための手段】
【０００９】
上記の目的を達成するために、本発明の請求項１にかかるピッキング用冷凍冷蔵倉庫は、庫内に据え付けられた冷却装置によって冷却された冷気を前面開口の内側上縁から下方に向けて吐出させるとともに、吐出された冷気を前面開口の内側下縁から回収するピッキング用冷凍冷蔵倉庫において、前面開口の外側に前面開口に沿って設けられ、前面開口から漏れた冷気を回収する上面が開口した冷気回収ダクトと、該冷気回収ダクトに沿って配設され、作業スペースの床を温める床暖房装置とを備え、冷気回収ダクトの上面開口を、格子状に形成され、冷気が通過する蓋で覆い、前記前面開口から前方側に向かって順に、前記冷気回収ダクトの蓋の上面と、前記床暖房で温められる床面とが配置されるとともに、これら蓋の上面と床面とを同一高さに配置したことを特徴とする。
【００１０】
また、本発明の請求項２にかかるピッキング用冷凍冷蔵倉庫は、上記請求項１において、前記床暖房装置の熱源は、前記冷却装置の廃熱であることを特徴とする。
【００１２】
また、本発明の請求項３にかかるピッキング用冷凍冷蔵倉庫は、上記請求項１または２において、前記床暖房装置は、前記冷却装置から吐出された冷媒が流れる吐出管を浸漬させる温水タンクと、温水タンクから温水を汲み上げる循環ポンプと、作業スペースの床に埋設され、循環ポンプから供給された温水を循環させる温水管とを備えたことを特徴とする。
【発明の効果】
【００１３】
本発明にかかるピッキング用冷凍冷蔵倉庫は、前面開口の外側に前面開口に沿って設けられ、前面開口から漏れた冷気を回収する上面が開口した冷気回収ダクトを備えたので、漏れた冷気を回収し、作業環境を向上させることができる。また、冷気回収ダクトに沿って配設され、冷却装置の廃熱を熱源として作業スペースの床を温める床暖房装置を備えたので、オペレータの足元を効率的に温めることができる。
【発明を実施するための最良の形態】
【００１４】
以下に添付図面を参照して、本発明にかかるピッキング用冷凍冷蔵倉庫の好適な実施の形態を詳細に説明する。なお、この実施の形態によりこの発明が限定されるものではない。
【００１５】
図１は、本発明の実施の形態であるピッキング用冷凍冷蔵倉庫が設置された配送センタを示す側断面図である。
【００１６】
図１に示すように、配送センタの建屋１の内部には、冷凍冷蔵ピッキングシステムが構築されている。冷凍冷蔵ピッキングシステムは、商品が陳列されたピッキング用冷凍冷蔵倉庫２と、積載された商品を搬送するセンタコンベア３とにより構成されており、ピッキング用冷凍冷蔵倉庫２（たとえば、後述する傾斜流動棚）に陳列された商品は、オペレータによって取り出され、センタコンベア３に積載されるようになっている。
【００１７】
図１に示した本実施の形態である冷凍冷蔵ピッキングシステムは、センタコンベア３を中央に配置し、その両側にピッキング用冷凍冷蔵倉庫２を配置することにより、一のセンタコンベア３を効率的に運用できるようになっている。
【００１８】
図２は、図１に示したピッキング用冷凍冷蔵倉庫を示す側断面図であり、図３は、図２に示したピッキング用棚装置を示す側断面図である。
【００１９】
ピッキング用冷凍冷蔵倉庫２は、配送センタの建屋１の内部に構築されたプレハブ倉庫であって、プレハブ断熱材で構成されている。このピッキング用冷凍冷蔵倉庫２は、前方領域を収納陳列領域４とし、後方領域を収容搬送領域６としている。収納陳列領域（前方領域）４は、床から天井までの高さが２メートル５０センチメートル程度であり、前面が開口し、商品を陳列する陳列・ピッキング部（棚装置）４１の設置を可能にしている。収容搬送領域（後方領域）６は、床から天井までの高さが３メートル５０センチメートル程度であり、大型の設備機械（たとえば、後述する商品投入搬送装置）の設置を可能にしている。そして、収納陳列領域（前方領域）４の天井と収容搬送領域（後方領域）６の天井との間に生じる隙間は、垂直な壁体２１で塞がれ、当該壁体２１は、収納陳列領域（前方領域）４と収容搬送領域（後方領域）６との間の段差となっている。
【００２０】
図２に示すように、収納陳列領域４には、複数台（本実施の形態であるピッキング用冷凍冷蔵倉庫は、８台）の陳列・ピッキング部（棚装置）４１が横並びとなるように設置してある。陳列・ピッキング部４１は、商品を保管するピッキング用棚装置であって、前面及び後面が開口している。
【００２１】
図３に示すように、陳列・ピッキング部４１には、上下方向に複数段（本実施の形態の陳列・ピッキング部は、四段）の傾斜流動棚４２が架設してある。傾斜流動棚４２は、後方から前方に向けて漸次低くなるように傾斜する態様で架設してあり、後方から投入された商品は、傾斜流動棚４２の上面を転動又は滑走することにより、前方に搬送され、前方から後方に向けて順次収納されるようになっている。
【００２２】
図４は、図３に示した傾斜流動棚を示す斜視図、図５は、図４に示したＬＥＤ表示パネルを示す斜視図、図６は、図５に示したＬＥＤ表示パネルの一部を拡大した拡大斜視図、図７は、ＬＥＤ表示パネルの回路図である。
【００２３】
図４に示すように、傾斜流動棚４２は、複数種類（本実施の形態の傾斜流動棚は６種類）の商品が保管可能であって、その前縁には、商品種類に対応するように、ＬＥＤ表示パネル４３が配設してある。
【００２４】
たとえば、本実施の形態の一の傾斜流動棚４２は、６種類の商品が保管可能であるから、一の傾斜流動棚４２を６等分し、それぞれの前縁にＬＥＤ表示パネル４３が配設してある。したがって、本実施の形態の陳列・ピッキング部４１は、２４個のＬＥＤ表示パネル４３が配設してある。
【００２５】
ＬＥＤ表示パネル４３は、後方から投入された商品を受け止め、商品を整列させるとともに、取り出す商品が保管されている保管位置を明示するものである。すなわち、ＬＥＤ表示パネル４３は、フェンスとして機能するとともに、ピッキング指示パネルとしても機能するようになっている。
【００２６】
図５に示すように、ＬＥＤ表示パネル４３は、導光板４３１を左右一対となるＬＥＤユニット４３２，４３３の相互間に配設したもので、導光板４３１の下縁に密着するステー４３４によって一体化されている。導光板４３１は、側端面から入射した光によって点灯するもので、細長の矩形を呈したアクリル板で構成してあり、その上端面には、前下がりとなるように傾斜面４３１ａが設けてある。この導光板４３１の裏面側には、反射板あるいは白色の塗装板が配設してある（図示せず）。
【００２７】
図６に示すように、各ＬＥＤユニット４３２は、導光板４３１に対向する面に導光板４３１が嵌る凹部が形成された柱体であって、凹部の導光板に対向する面には、赤色ＬＥＤ（Light Emitting Diode）４３５と青色ＬＥＤ４３６とが配設してある。
【００２８】
図７に示すように、これら左右一対となる赤色ＬＥＤ４３５の各アノード端子と青色ＬＥＤ４３６の各アノード端子とは接続され、コモン端子を構成している。一方、左右一対となる赤色ＬＥＤ４３５の各カソード端子は相互に接続され、赤色ＬＥＤカソード端子となり、左右一対となる青色ＬＥＤ４３６の各カソード端子は相互に接続され、青色ＬＥＤカソード端子となっている。
【００２９】
そして、コモン端子に正の電圧（＋２５Ｖ）、赤色ＬＥＤカソード端子に負の電圧がかけられると、左右一対となるＬＥＤユニット４３２、４３３の赤色ＬＥＤ４３５から赤色光が出射され、導光板４３１が赤く点灯するようになっている。一方、コモン端子に正の電圧（＋２５Ｖ）、青色ＬＥＤカソード端子に負の電圧がかけられると、左右一対となるＬＥＤユニット４３２，４３３の青色ＬＥＤ４３６から青色光が出射され、導光板４３１が青く点灯するようになっている。
【００３０】
ＬＥＤ表示パネル４３の各端子（コモン端子、赤色ＬＥＤカソード端子、青色ＬＥＤカソード端子）は、三芯ケーブル４４（図５参照）によって、図示せぬ管理装置に接続されている。そして、管理装置は、一人のオペレータが受け持つ棚においてＬＥＤ表示パネル４３（導光板４３１）を赤く点灯させることにより保管位置を明示し、隣り合う一人のオペレータが受け持つ棚においてＬＥＤ表示パネル４３（導光板４３１）を青く点灯させることにより保管位置を明示するようになっている。
【００３１】
また、図３に示すように、最上段となる傾斜流動棚４２の上方となる収納陳列領域４の天井には、後方から前方に延在するダクト４５が配設してある。ダクト４５は、ピッキング用冷凍冷蔵倉庫２の前面開口に低温のエアカーテンを生成するためのものであり、後端が開口している。この後端開口には、送風ファン（送風装置）４６が配設してある。送風ファン４６は、陳列・ピッキング部４１の奥方、すなわち、ピッキング用冷凍冷蔵倉庫２の収容搬送領域６から空気を導入するものである。
【００３２】
ダクト４５の内部は、上下に仕切られ、下側がインナーダクト４７を構成し、上側がミドルダクト４８を構成するようになっている。そして、ダクト４５に導入された空気は、インナーダクト４７とミドルダクト４８とに分配されるようになっている。
【００３３】
インナーダクト４７は、分配された空気を冷却し、ピッキング用冷凍冷蔵倉庫２の前面開口内側に低温（たとえば、摂氏−３０度）のエアカーテンを生成するためのもので、インナーダクト４７の内部には、蒸発器（エボパレータ）４７１が設置してあり、ダクト４５の後端開口から導入され、分配された空気は、蒸発器４７１の周囲を通過する際に摂氏−３０度程度まで冷却されるようになっている。
【００３４】
インナーダクト４７は、ピッキング用冷凍冷蔵倉庫２の前面開口内側において前端が下方に向かって開口している。この前端開口には、冷気吐出口を構成するハニカム４７２が取り付けてあり、ハニカム４７２を通過した空気は整流され、下方に向かって流れるようになっている。
【００３５】
ミドルダクト４８は、分配された空気をピッキング用冷凍冷蔵倉庫２の前面開口内側であって、インナーダクト４７が生成するエアカーテンよりも外側に低温（たとえば、摂氏−２５度）のエアカーテンを生成するためのもので、インナーダクト４７の外側であって、ピッキング用冷凍冷蔵倉庫２の前面開口内側において前端が下方に向かって開口している。この前端開口には、冷気吐出口を構成するハニカム４８１が取り付けてあり、ハニカム４８１を通過した空気は整流され、下方に向かって流れるようになっている。
【００３６】
また、収納陳列領域４の天井前縁には、奥方から前方に延在した後に下方に延在するアウターダクト４９が配設してある。アウターダクト４９は、ピッキング用冷凍冷蔵倉庫２の前面開口外側に室温のエアカーテンを生成するものであり、奥方端と下方端とが開口している。この奥方端開口には、アウターファン（送風装置）４９１が配設してある。このアウターファン４９１は、稼働させると配送センタの建屋（ピッキング用冷凍冷蔵倉庫の天井裏）から空気を導入するようになっている。また、下方端開口には、空気吐出口を構成するハニカム４９２が取り付けてあり、ハニカム４９２を通過した空気は整流され、下方に向かって流れるようになっている。
【００３７】
最下段となる傾斜流動棚４２の前方にリターングリル（開口）５０が形成されるように、フロントパネル５１が床に立設してある。リターングリル５０は、インナーダクト４７の前端開口及びミドルダクト４８の前端開口と対向するように形成され、インナーダクト４７の前端開口及びミドルダクト４８の前端開口から供給され、ピッキング用冷凍冷蔵倉庫２の前面開口にエアカーテンを生成した空気を回収するようになっている。
【００３８】
また、最下段となる傾斜流動棚４２の下方には、吸気ファン５２が傾斜する態様で取り付けてあり、リターングリル５０から回収された空気を収納陳列領域４から収容搬送領域６に送出するようになっている。
【００３９】
図２に示すように、収容搬送領域６の床には、前方から後方に延在するダクト６１が配設してある。ダクト６１は、リターングリル５０から回収された空気を収容搬送領域６に循環させるためのものであり、前端が最下段となる傾斜流動棚４２と収納陳列領域４の床との間に形成された開口に対向し、開口している。また、後端は、ピッキング用冷凍冷蔵庫の奥壁近傍まで延在し、開口している。また、ダクト６１の出口近傍となる内部には、循環ファン６２が配設してある。循環ファン６２は、最下段となる傾斜流動棚４２と収納陳列領域４との間から送出された空気を吸い込み、奥壁に沿って循環させるようになっている。
【００４０】
図２に示すように、収容搬送領域６の天井には、複数台（本実施の形態では３台）のクーリングコイル（冷却装置）６３が据え付けてある。クーリングコイル６３は、供給された空気を冷却して、送出するものであり、上述した陳列・ピッキング部４１に均等に冷却した空気を送出するように、均等に配設してある。クーリングコイル６３は、空気が通過する際に摂氏−２５度程度まで冷却されるようになっている。また、クーリングコイル６３の空気送出能力は、ダクト４５に配設した送風ファン４６の数倍の能力を有している。
【００４１】
図３に示すように、アウターダクト４９の下方端外側には、ナイトカバー７１と照明装置７２とが並設してある。ナイトカバー７１は、ロールスクリーンのように、巻き上げることにより収納可能なカバーであって、冷凍冷蔵ピッキングシステム稼働中に収納し、稼働を停止した場合に降ろすことにより、ピッキング用冷凍冷蔵倉庫２の前面開口を塞ぐことができるようになっている。照明装置７２は、たとえば、蛍光灯であって、冷凍冷蔵ピッキングシステム稼働中は点灯し、稼働を停止した場合に消灯することができるようになっている。
【００４２】
これら、ナイトカバー７１と照明装置７２とは、傘体７３によって覆われている。傘体７３の前面には、照明装置７２を点灯あるいは消灯させるスイッチ７４が設けてある。このスイッチ７４は、図８に示すように、アウターファン４９１と連動しており、照明装置７２を点灯させた場合にアウターファン４９１が駆動され、照明装置７２を消灯させた場合にアウターファン４９１を停止させるようになっている。
【００４３】
また、このスイッチ７４は、ピッキング用冷凍冷蔵倉庫２の内部温度を調節する温度調節装置に指示信号を与えるようになっている。たとえば、図９に示すように、照明装置７２を点灯した場合に設定温度を摂氏−１８度にするように指示し、照明装置７２を消灯した場合に設定温度を摂氏−１５度にするように指示するようになっている。
【００４４】
また、図３に示すように、上述したフロントパネル５１の前方には、漏れ冷気回収ダクト８１が配設してある。漏れ冷気回収ダクト８１は、リターングリル５０から回収されずにオペレータの作業領域に漏れた冷気を回収することを目的に配設したダクトであって、フロントパネル５１と並行するように配設してある。漏れ冷気回収ダクト８１は、上面が開口した断面凹の字を呈しており、この上面開口は、グレーチングと称される格子状の蓋８２で覆ってある。このように格子状の蓋８２で上面開口を覆うことにより、漏れた冷気の回収を可能にするとともに、オペレータが誤って漏れ冷気回収ダクト８１に足を取られる事態を防止するようになっている。なお、漏れ冷気回収ダクト８１から回収した冷気は、ピッキング用冷凍冷蔵倉庫２の床下を通って、影響の及ばないところ（たとえば、ピッキング用冷凍冷蔵倉庫の裏側上方）に排出するようになっている（図示せず）。
【００４５】
また、漏れ冷気回収ダクト８１の前方には、床暖房装置８３が配設してある。床暖房装置８３は、床に埋設した温水管に温水を通すことにより、床を温めるものであって、漏れ冷気回収ダクト８１と並行するように配設してある。
【００４６】
図１０は、床暖房装置に温水を送る冷媒回路を示す回路図である。本発明の実施の形態の床暖房装置８３は、上述したインナーダクト４７に配設した蒸発器（エボパレータ）４７１を含んで構成される冷凍サイクルまたはクーリングコイル６３を含んで構成される冷凍サイクルの廃熱を用いたものであって、蒸発器（エボパレータ）４またはクーリングコイル６３から吐出された冷媒が流れる吐出管８４を浸漬させた温水タンク８５と、温水タンク８５から温水を汲み上げる循環ポンプ８６と、作業スペースの床に埋設され、循環ポンプ６６から供給された温水を循環させる温水管（床暖房装置８３）とを備えている。
【００４７】
また、図２に示すように、収容搬送領域６には、ピッキング用冷凍冷蔵倉庫２に商品を搬入するための商品搬入コンベア６４、搬入した商品を一時保管する商品一時保管棚、商品一時保管棚から上述した陳列・ピッキング部４１に商品を投入する商品投入搬送装置６６が設置してある。
【００４８】
本発明の実施の形態にかかるピッキング用冷凍冷蔵倉庫２において、クーリングコイル（冷却装置）６３、送風ファン（送風装置）４６、吸気ファン５２、循環ファン６２、アウターファン４９１を稼働すると、クーリングコイル６３の周囲を通過した空気は、摂氏−２５度程度まで冷却され、収納陳列領域（前方領域）４と収容搬送領域（後方領域）６との間に設けられた垂直な壁体（段差）２に向けて送出される。送出された空気は、収納陳列領域（前方領域）４と収容搬送領域（後方領域）６との間に設けられた垂直な壁体（段差）２に衝突することにより拡散され、クーリングコイル６３から送風ファン４６に直接空気を送出する場合よりも、空気の流速が遅くなり、送風ファン４６に空気が均等に供給される。
【００４９】
そして、送風ファン４６に供給された空気は、インナーダクト４７とミドルダクト４８とに分配される。インナーダクト４７に分配された空気は、蒸発器（エボパレータ）４７１の周囲を通過する際に摂氏−３０度程度まで冷却され、前端開口からリターングリルに向けて流れることにより、ピッキング用冷凍冷蔵倉庫２の前面開口内側に摂氏−３０度程度のエアカーテンを生成する。一方、ミドルダクト４８に分配された空気は、前端開口からリターングリル５０に向けて流れることにより、インナーダクト４７が生成するエアカーテンよりも外側に摂氏−２５度程度のエアカーテンを生成する。
【００５０】
一方、アウターファン４９１を稼働することにより、配送センタの建屋から導入された空気は、上述したエアカーテンに沿って流れ、エアカーテンを生成する空気の乱れを抑制する。
【００５１】
他方、リターングリル５０から回収された空気は、吸気ファン５２及び循環ファン６２によって、奥方に送出され、奥壁に沿って循環する。そして、奥壁に沿って循環した空気は、再び、クーリングコイル６３に供給される。
【００５２】
このように循環され、クーリングコイル６３、蒸発器（エボパレータ）４７１によって冷却された空気は、ピッキング用冷凍冷蔵倉庫２の内部を冷却する。
【００５３】
また、本発明の実施の形態にかかる冷凍冷蔵ピッキングシステムは、商品搬入コンベア６４によって、ピッキング用冷凍冷蔵倉庫２の外部から商品が搬入される。ピッキング用冷凍冷蔵倉庫２に搬入された商品は、商品一時保管棚に一時保管され、あるいは、商品投入搬送装置６６によって、陳列・ピッキング部４１の傾斜流動棚４２に投入される。なお、商品一時保管棚に一時保管された商品も順番がきたら商品投入搬送装置６６によって、陳列・ピッキング部４１の傾斜流動棚４２に順次投入される。
【００５４】
また、本発明の実施の形態にかかる冷凍冷蔵ピッキングシステムは、管理装置によって制御され、取り出す商品が保管されている保管位置のＬＥＤ表示パネル４３が点灯される。すると、オペレータは、点灯したＬＥＤ表示パネル４３が示す保管位置が受け持つ棚であるか否かを識別し、自らが受け持つ棚であると識別した場合には、点灯したＬＥＤ表示パネル４３が示す保管位置から商品を取り出し、センタコンベア３に積載する。
【００５５】
たとえば、赤色に点灯されるＬＥＤ表示パネル４３が示す保管位置をオペレータが受け持つ棚であるとすると、ＬＥＤ表示パネル４３が赤く点灯された場合に当該ＬＥＤ表示パネル４３が示す保管位置から商品を取り出す一方、ＬＥＤ表示パネル４３が青く点灯された場合にはＬＥＤ表示パネル４３が示す保管位置から商品を取り出すことはなく、他のオペレータに任される。
【００５６】
上述した本発明の実施の形態であるピッキング用冷凍冷蔵倉庫２は、稼働を停止した場合に、ナイトカバー７１を降ろせば、ピッキング用冷凍冷蔵倉庫２の前面開口が塞がれる。つづいて、傘体７３の前面に設けてあるスイッチ７４を操作して照明装置７２を消灯すれば、アウターファン４９１が停止するとともに、設定温度を摂氏−１５度にするように温度調節装置に指示を与える。
【００５７】
上述した本発明の実施の形態であるピッキング用冷凍冷蔵倉庫は、クーリングコイル（冷却装置）６３から送出された空気が、収納陳列領域（前方領域）４と収容搬送領域（後方領域）６との間に設けられた垂直な壁体（段差）２１に衝突することにより拡散され、クーリングコイル６３から送風ファン４６に直接空気を送出する場合よりも、空気の流速が遅くなり、送風ファン（送風装置）４６に空気が均等に供給される。このため、陳列・ピッキング部４１の前面に生成されるエアカーテンの温度が均一なものとなり、冷えすぎたり、冷えなさすぎたりすることがない。また、壁体２１によって画成された収納陳列領域（前方領域）４の天井裏を配管、配線スペースとすれば、常温環境で配管、配線することができ、点検、修理を容易なものにできる。
【００５８】
上述した本発明の実施の形態であるピッキング用冷凍冷蔵倉庫２は、フロントパネル５１の前方に漏れ冷気回収ダクト８１が配設してあり、リターングリル５０から回収されずにオペレータの作業領域に漏れた冷気を回収するので、オペレータの作業環境に冷気が溜まる事態を抑制でき、作業環境を向上させることができる。
【００５９】
さらに、漏れ冷気回収ダクト８１の前方に床暖房装置８３が配設してあり、床を温めることにより、オペレータの作業環境を改善することができる。また、床暖房装置８３の熱源として、インナーダクト４７に配設した蒸発器（エボパレータ）４７１を含んで構成される冷凍サイクルまたはクーリングコイル６３を含んで構成される冷凍サイクルの廃熱を用いたので、廃熱の有効利用にも資することになる。
【００６０】
上述した本発明の実施の形態である陳列・ピッキング部４１は、傾斜流動棚４２の前面に保管位置を示すＬＥＤ表示パネル４３が配設され、取り出す商品が保管されている傾斜流動棚４２の保管位置を明示するので、オペレータによる人為的ミスを低減することができる。また、オペレータは自らが受け持つ傾斜流動棚４２であるか他のオペレータが受け持つ傾斜流動棚４２であるかを容易に識別できるので、混乱を防止できる。
【００６１】
また、ＬＥＤ表示パネル４３を構成する導光板４３１の上端面には、前下がりとなるように傾斜面４３１ａが設けてあるので、傾斜面４３１ａがオペレータに正対し、オペレータの視認性を向上させている。さらに、ＬＥＤ表示パネル４３を構成する導光板４３１の裏面側には、反射板あるいは白色の塗装板が配設してあるので、ＬＥＤ表示パネル４３を点灯すると、光が反射板あるいは塗装板に反射することになり、オペレータの視認性を向上させている。
【００６２】
上述した本発明の実施の形態であるピッキング用冷凍冷蔵倉庫２によれば、照明装置７２を消灯すれば、アウターファン４９１が停止するので、照明装置７２をみればアウターファン４９１が停止しているか否かを識別できることになる。したがって、ナイトカバー７１が降ろされているにもかかわらず照明装置７２が点灯している場合には、アウターファン４９１が駆動しているので、照明装置７２を消灯させることにより、アウターファン４９１を停止させ、温かい空気の流入を防ぐ。このようにして空気の流入を防げば、商品への着霜を防止できる。
【００６３】
また、照明装置７２を消灯した場合に設定温度を摂氏−１５度にするように温度調節装置に指示を与えるので、照明装置７２をみれば設定温度がどの値になっているかを識別することができる。したがって、ナイトカバー７１が降ろされているにもかかわらず、照明装置７２が点灯している場合には、設定温度が摂氏−１８度であるから、照明装置７２を消灯させることにより、設定温度を摂氏−１５度に設定し、冷えすぎる事態を防止する。このように、設定温度を上げれば、省エネルギーに資することになる。
【００６４】
上述した本発明の実施の形態である冷凍冷蔵ピッキングシステムは、センタコンベア３を中央に配置し、その両側にピッキング用冷凍冷蔵倉庫２を配置することにより、両側に配属されたオペレータが一のセンタコンベア３を効率的に運用できる。
【図面の簡単な説明】
【００６５】
【図１】本発明の実施の形態であるピッキング用冷凍冷蔵倉庫が設置された配送センタを示す側断面図である。
【図２】図１に示したピッキング用冷凍冷蔵倉庫を示す側断面図である。
【図３】図２に示したピッキング用棚装置を示す側断面図である。
【図４】図３に示した傾斜流動棚を示す斜視図である。
【図５】図４に示したＬＥＤ表示パネルを示す斜視図である。
【図６】図５に示したＬＥＤ表示パネルの一部を拡大した拡大斜視図である。
【図７】ＬＥＤ表示パネルの回路図である。
【図８】照明装置及びアウターファンを制御する制御回路の回路図である。
【図９】照明と温度設定との相関を示すタイムチャートである。
【図１０】床暖房装置に温水を送る冷媒回路を示す回路図である。
【符号の説明】
【００６６】
２    ピッキング用冷凍冷蔵倉庫
４    収納陳列領域
４１    陳列・ピッキング部（棚装置）
４２    傾斜流動棚
４５    ダクト
４６    送風ファン
４７    インナーダクト
４７１    蒸発器
４７２    ハニカム
４８    ミドルダクト
４８１    ハニカム
４９    アウターダクト
４９１    アウターファン
４９２    ハニカム
５０    リターングリル
５１    フロントパネル
５２    吸気ファン
６    収容搬送領域
６１    ダクト
６２    循環ファン
６３    クーリングコイル
８１    冷気回収ダクト
８２    蓋
８３    床暖房装置
８４    吐出管
８５    温水タンク
８６    循環ポンプ
【図１】
0005136136.tif 000002
【図２】
0005136136.tif 000003
【図３】
0005136136.tif 000004
【図４】
0005136136.tif 000005
【図５】
0005136136.tif 000006
【図６】
0005136136.tif 000007
【図７】
0005136136.tif 000008
【図８】
0005136136.tif 000009
【図９】
0005136136.tif 000010
【図１０】
0005136136.tif 000011